(57)【要約】【課題】  本発明は、ユーザの使い勝手を格段と向上し得る画像表示システム、画像表示装置及び画像表示方法を実現しようとするものである。【解決手段】  少なくとも１以上のリンクが設定されているコンテンツ情報に基づく画像を表示画面に表示する画像表示方法において、表示画面に表示されているコンテンツ情報に基づく画像の表示状態を制御する際の動作モードが、外部操作に応じて第１又は第２のモードに切り換えるようになされ、表示画面にコンテンツ情報に基づく画像の一部が表示された状態において、外部操作に応じて、第１のモードでは、表示画面上で画像をスクロールする一方、第２のモードでは、表示画面に固定された画像内の各リンクを順次選択するようにした。【選択図】        図６
2005027245.tif 000002
【特許請求の範囲】
【請求項１】
少なくとも１以上のリンクが設定されているコンテンツ情報に基づく画像を表示画面に表示する画像表示装置と、当該画像表示装置の上記表示画面の表示内容を操作する操作装置とからなる画像表示システムにおいて、
上記画像表示装置は、
上記表示画面に表示されている上記コンテンツ情報に基づく画像の表示状態を制御する制御手段と、
上記操作装置の操作に応じて、上記制御手段の動作モードを第１又は第２のモードに切り換えるモード切換手段とを具え、
上記画像表示装置の上記表示画面に上記コンテンツ情報に基づく画像の一部が表示された状態において、上記制御手段は、上記操作装置の操作に応じて、上記第１のモードでは、上記表示画面上で上記画像をスクロールする一方、上記第２のモードでは、上記表示画面に固定された上記画像内の各上記リンクを順次選択する
ことを特徴とする画像表示システム。
【請求項２】
上記操作装置は、
方向指定用の第１の操作手段と、確定用の第２の操作手段とを有し、
上記制御手段は、
上記第１のモードでは、上記第１の操作手段により指定された方向へ上記画像をスクロールさせながら、上記第２の操作手段により決定された当該画像を上記表示画面に固定する一方、上記第２のモードでは、上記第１の操作手段により指定された方向へ上記表示画面に固定されている上記画像内の各上記リンクを順次選択させながら、上記第２の操作手段により指定された上記リンクに対応するコンテンツ情報に基づく画像を表示させる
ことを特徴とする請求項１に記載の画像表示システム。
【請求項３】
上記モード切換手段は、
上記第１のモードにおける上記第２の操作手段の操作に応じて、上記制御手段の動作モードを上記第１のモードから上記第２のモードに切り換える
ことを特徴とする請求項２に記載の画像表示システム。
【請求項４】
少なくとも１以上のリンクが設定されているコンテンツ情報に基づく画像を表示画面に表示する画像表示装置において、
上記表示画面に表示されている上記コンテンツ情報に基づく画像の表示状態を制御する制御手段と、
外部操作に応じて、上記制御手段の動作モードを第１又は第２のモードに切り換えるモード切換手段とを具え、
上記表示画面に上記コンテンツ情報に基づく画像の一部が表示された状態において、上記制御手段は、上記外部操作に応じて、上記第１のモードでは、上記表示画面上で上記画像をスクロールする一方、上記第２のモードでは、上記表示画面に固定された上記画像内の各上記リンクを順次選択する
ことを特徴とする画像表示装置。
【請求項５】
上記制御手段は、
上記第１のモードでは、指定された方向へ上記画像をスクロールさせながら、決定された当該画像を上記表示画面に固定する一方、上記第２のモードでは、指定された方向へ上記表示画面に固定されている上記画像内の各上記リンクを順次選択させながら、指定された上記リンクに対応するコンテンツ情報に基づく画像を表示させる
ことを特徴とする請求項４に記載の画像表示装置。
【請求項６】
上記モード切換手段は、
上記第１のモードにおける上記第２の操作手段の操作に応じて、上記制御手段の動作モードを上記第１のモードから上記第２のモードに切り換える
ことを特徴とする請求項５に記載の画像表示装置。
【請求項７】
少なくとも１以上のリンクが設定されているコンテンツ情報に基づく画像を表示画面に表示する画像表示方法において、
上記表示画面に表示されている上記コンテンツ情報に基づく画像の表示状態を制御する際の動作モードが、外部操作に応じて第１又は第２のモードに切り換えるようになされ、
上記表示画面に上記コンテンツ情報に基づく画像の一部が表示された状態において、上記外部操作に応じて、上記第１のモードでは、上記表示画面上で上記画像をスクロールする一方、上記第２のモードでは、上記表示画面に固定された上記画像内の各上記リンクを順次選択する
ことを特徴とする画像表示方法。
【請求項８】
上記第１のモードでは、指定された方向へ上記画像をスクロールさせながら、決定された当該画像を上記表示画面に固定する一方、
上記第２のモードでは、指定された方向へ上記表示画面に固定されている上記画像内の各上記リンクを順次選択させながら、指定された上記リンクに対応するコンテンツ情報に基づく画像を表示させる
ことを特徴とする請求項７に記載の画像表示方法。
【発明の詳細な説明】
【技術分野】
【０００１】
本発明は画像表示システム、画像表示装置及び画像表示方法に関し、例えばインターネットを利用可能なテレビジョン受像機に適用して好適なものである。
【背景技術】
【０００２】
近年、インターネット上に分散する各サーバ内の各種情報を相互に関連付けて検索可能にした情報網であるＷｅｂ（すなわちＷＷＷ：world wide web）が、情報サービスとして幅広く利用されており、ユーザがパーソナルコンピュータを用いて所望のＷｅｂサイトにアクセスすることにより、当該Ｗｅｂサイトに登録されている各種Ｗｅｂページを閲覧し得るようになされている。
【０００３】
そして近年では、パーソナルコンピュータのみならず、テレビジョン受像機を用いて、インターネット上のＷｅｂページを閲覧し得るようになされたものが提案され製品化されている。かかるテレビジョン受像機には、本体内部にインターネットに接続可能なモデム及びＷｅｂブラウザが搭載され、又はこれらが搭載されたセットトップボックス等が外部接続されている。
（例えば、特許文献１参照）。
【特許文献１】特開平２００２−３５８４３５号公報（第５頁〜第６頁、図１）
【発明の開示】
【発明が解決しようとする課題】
【０００４】
ところで、実際にこの種のテレビジョン受像機において、ユーザが所望のＷｅｂサイトにアクセスして各種のＷｅｂページを表示画面上に表示させた際に、当該表示画面内にＷｅｂページ画面が全て入りきらずに一部のみ表示される場合がある。
【０００５】
通常、Ｗｅｂページ画面上には、現在の当該Ｗｅｂページから他のＷｅｂページへジャンプさせるための関連付けとして複数のリンクがＧＵＩ（Graphical
User Interface）表示されているものが多く、ユーザはリモートコマンダ等を用いて、複数のリンクのうち所望のＷｅｂページに対応したリンクを選択し得るようになされている。
【０００６】
その際、テレビジョン受像機では、ユーザがリモートコマンダを操作してリンク選択を行うと、当該表示画面外にあるリンクを選択する際に、当該リンク選択に引きずられるように画面範囲が上下左右にスクロールするようになされている。
【０００７】
このためテレビジョン受像機の表示画面では、Ｗｅｂページ画面上のどの位置にいくつのリンクが設定表示されているかといったレイアウトの仕方によって画面範囲のスクロール幅が決定されることから、リンク単位でスクロールする画面範囲を目視しているユーザは、現在の表示内容がＷｅｂページ全体のどの部分を表しているのかを認識し得なくなるおそれがあった。
【０００８】
この傾向は、テレビジョン受像機の表示画面に対してＷｅｂページ画面が大きければ大きいほど顕著に現れると共に、Ｗｅｂページ内で例えば新聞等の小さな文字列が大部分を占めるほど顕著に現れることから、ユーザがＷｅｂページ全体を把握することが困難となった。
【０００９】
また、一般的にテレビジョン受像機の表示画面は、パーソナルコンピュータの表示画面と比較して解像度が低いことから、拡大表示されても縮小表示されないように機能設定されているのが現状であり、例え縮小表示されたとしても解像度が低い分だけ目視し難いという問題があった。
【００１０】
本発明は以上の点を考慮してなされたもので、ユーザの使い勝手を格段と向上し得る画像表示システム、画像表示装置及び画像表示方法を提案しようとするものである。
【課題を解決するための手段】
【００１１】
かかる課題を解決するため本発明においては、少なくとも１以上のリンクが設定されているコンテンツ情報に基づく画像を表示画面に表示する画像表示装置と、当該画像表示装置の表示画面の表示内容を操作する操作装置とからなる画像表示システムにおいて、画像表示装置は、表示画面に表示されているコンテンツ情報に基づく画像の表示状態を制御する制御手段と、操作装置の操作に応じて、制御手段の動作モードを第１又は第２のモードに切り換えるモード切換手段とを設け、画像表示装置の表示画面にコンテンツ情報に基づく画像の一部が表示された状態において、制御手段は、操作装置の操作に応じて、第１のモードでは、表示画面上で画像をスクロールする一方、第２のモードでは、表示画面に固定された画像内の各リンクを順次選択するようにした。
【００１２】
このように画像表示システムでは、画像表示装置の表示画面にコンテンツ情報に基づく画像の一部が表示された状態において、操作装置の操作に応じて、第１又は第２のモードに交互に切り換えることにより、表示画面上でリンクに引きずられてリンク単位で画像がスクロールすることないため、ユーザは簡易な操作で当該画像全体を容易に把握しながら所望のリンクを容易に選択するができる。
【００１３】
また本発明においては、少なくとも１以上のリンクが設定されているコンテンツ情報に基づく画像を表示画面に表示する画像表示装置において、表示画面に表示されているコンテンツ情報に基づく画像の表示状態を制御する制御手段と、外部操作に応じて、制御手段の動作モードを第１又は第２のモードに切り換えるモード切換手段とを設け、表示画面にコンテンツ情報に基づく画像の一部が表示された状態において、制御手段は、外部操作に応じて、第１のモードでは、表示画面上で画像をスクロールする一方、第２のモードでは、表示画面に固定された画像内の各リンクを順次選択するようにした。
【００１４】
このように画像表示装置では、表示画面にコンテンツ情報に基づく画像の一部が表示された状態において、外部操作に応じて、第１又は第２のモードに交互に切り換えることにより、表示画面上でリンクに引きずられてリンク単位で画像がスクロールすることないため、ユーザは簡易な操作で当該画像全体を容易に把握しながら所望のリンクを容易に選択するができる。
【００１５】
さらに本発明においては、少なくとも１以上のリンクが設定されているコンテンツ情報に基づく画像を表示画面に表示する画像表示方法において、表示画面に表示されているコンテンツ情報に基づく画像の表示状態を制御する際の動作モードが、外部操作に応じて第１又は第２のモードに切り換えるようになされ、表示画面にコンテンツ情報に基づく画像の一部が表示された状態において、外部操作に応じて、第１のモードでは、表示画面上で画像をスクロールする一方、第２のモードでは、表示画面に固定された画像内の各リンクを順次選択するようにした。
【００１６】
このように画像表示方法では、表示画面にコンテンツ情報に基づく画像の一部が表示された状態において、外部操作に応じて、第１又は第２のモードに交互に切り換えることにより、表示画面上でリンクに引きずられてリンク単位で画像がスクロールすることないため、ユーザは簡易な操作で当該画像全体を容易に把握しながら所望のリンクを容易に選択するができる。
【発明の効果】
【００１７】
上述のように本発明によれば、少なくとも１以上のリンクが設定されているコンテンツ情報に基づく画像を表示画面に表示する画像表示装置と、当該画像表示装置の表示画面の表示内容を操作する操作装置とからなる画像表示システムにおいて、画像表示装置は、表示画面に表示されているコンテンツ情報に基づく画像の表示状態を制御する制御手段と、操作装置の操作に応じて、制御手段の動作モードを第１又は第２のモードに切り換えるモード切換手段とを設け、画像表示装置の表示画面にコンテンツ情報に基づく画像の一部が表示された状態において、制御手段は、操作装置の操作に応じて、第１のモードでは、表示画面上で画像をスクロールする一方、第２のモードでは、表示画面に固定された画像内の各リンクを順次選択するようにしたことにより、表示画面上でリンクに引きずられてリンク単位で画像がスクロールすることなく、ユーザは簡易な操作で当該画像全体を容易に把握しながら所望のリンクを容易に選択するができ、かくしてユーザの使い勝手を格段と向上し得る画像表示システムを実現できる。
【００１８】
また本発明によれば、少なくとも１以上のリンクが設定されているコンテンツ情報に基づく画像を表示画面に表示する画像表示装置において、表示画面に表示されているコンテンツ情報に基づく画像の表示状態を制御する制御手段と、外部操作に応じて、制御手段の動作モードを第１又は第２のモードに切り換えるモード切換手段とを設け、表示画面にコンテンツ情報に基づく画像の一部が表示された状態において、制御手段は、外部操作に応じて、第１のモードでは、表示画面上で画像をスクロールする一方、第２のモードでは、表示画面に固定された画像内の各リンクを順次選択するようにしたことにより、表示画面上でリンクに引きずられてリンク単位で画像がスクロールすることなく、ユーザは簡易な操作で当該画像全体を容易に把握しながら所望のリンクを容易に選択するができ、かくしてユーザの使い勝手を格段と向上し得る画像表示装置を実現できる。
【００１９】
さらに本発明によれば、少なくとも１以上のリンクが設定されているコンテンツ情報に基づく画像を表示画面に表示する画像表示方法において、表示画面に表示されているコンテンツ情報に基づく画像の表示状態を制御する際の動作モードが、外部操作に応じて第１又は第２のモードに切り換えるようになされ、表示画面にコンテンツ情報に基づく画像の一部が表示された状態において、外部操作に応じて、第１のモードでは、表示画面上で画像をスクロールする一方、第２のモードでは、表示画面に固定された画像内の各リンクを順次選択するようにしたことにより、表示画面上でリンクに引きずられてリンク単位で画像がスクロールすることなく、ユーザは簡易な操作で当該画像全体を容易に把握しながら所望のリンクを容易に選択するができ、かくしてユーザの使い勝手を格段と向上し得る画像表示方法を実現できる。
【発明を実施するための最良の形態】
【００２０】
以下図面について、本願発明の一実施の形態について説明する。
【００２１】
（１）本実施の形態によるテレビジョン受像システムの構成
図１において、１は全体として本実施の形態によるテレビジョン受像システムを示し、インターネット等のネットワーク（図示せず）に接続可能なテレビジョン受像機２と、当該テレビジョン受像機２を遠隔無線操作するためのリモートコマンダ３とから構成されている。
【００２２】
この場合テレビジョン受像機３は、地上波又は衛星波を受信して得られるカラーテレビジョン信号Ｓ１に基づいて映像音声を再生するためのテレビジョン信号受信部４と、ネットワークを介して各種のＷｅｂサイトにアクセスするための通信回路５と、リモートコマンダ３との間で例えばＩｒＤＡ（Infrared Data
Association）規格に準拠した赤外線通信を行うための受信回路６と、これら通信回路５及び受信回路６から得られる各種情報を制御するＣＰＵ（Central Processing Unit）７と、当該ＣＰＵ７の制御下でこれら各種情報からモニタ表示用の映像信号を生成する映像処理回路８と、テレビジョン信号受信部４及び映像処理回路８から得られる映像音声を再生するモニタ９及びスピーカ１０とから構成されている。
【００２３】
このテレビジョン信号受信部４において、まず映像受信回路１１は、アンテナ１２で受信されたテレビジョン電波（カラーテレビジョン信号）Ｓ１のうち指定されたチャンネルの信号を抜き出して中間周波数信号に変換した後、当該中間周波数信号を増幅して音声中間周波数信号Ｓ２Ａ及び映像中間周波数信号Ｓ２Ｂに分離する。
【００２４】
続いて映像受信回路１１は、音声中間周波数信号Ｓ２Ａを音声受信回路１３に送出する一方、映像中間周波数信号Ｓ２Ｂを検波して変調成分であるカラー映像信号Ｓ３を抽出した後、これを色信号再生回路１４、偏向回路１５及びモニタ９にそれぞれ送出する。
【００２５】
音声受信回路１３は、映像受信回路１１から与えられた音声中間周波数信号Ｓ２ＡをＦＭ（Frequency Modulation）検波して音声信号Ｓ４を取り出して、当該音声信号Ｓ４を増幅してスピーカ１０を駆動させることにより、当該スピーカ１０を介して音声信号Ｓ４に基づく音声を放音させる。
【００２６】
色信号再生回路１４は、映像受信回路１１から与えられたカラー映像信号Ｓ３から搬送色信号成分を抽出しして増幅した後、当該搬送色信号を復調することにより、３原色信号Ｓ５を生成する。
【００２７】
偏向回路１５は、映像受信回路１１から与えられたカラー映像信号Ｓ３から同期信号を抽出した後、当該同期信号を水平同期信号及び垂直同期信号に周波数分離する。そして偏向回路１５は、周波数分離した水平同期信号及び垂直同期信号に基づいて、送像側の画像の分解と受像側の画像の組立てとを一致させるための水平方向及び垂直方向の偏向信号Ｓ６を生成する。
【００２８】
かくしてモニタ９では、映像受信回路１１からのカラー映像信号（輝度信号）Ｓ３と、色信号再生回路１４からの３原色信号Ｓ５と、偏向回路１５からの偏向信号Ｓ６とに基づいて、受信したカラーテレビジョン信号Ｓ１に基づく映像を再生することができる。
【００２９】
一方、リモートコマンダ３は、図２に示すように、全体として平板状の直方体でなる本体部３Ａを有し、表面には各種の機能が割り当てられた押圧式のボタン群でなる操作部３Ｂが設けられており、上端面にはテレビジョン受像機２と同じ通信規格に準拠した赤外線通信ポート３Ｃが設けられている。
【００３０】
この操作部３Ｂでは、ボタン群として、中央部分に各種の設定状態を決定するための決定キー３ＢＡが配置され、当該決定キー３ＢＡを取り囲むようにカーソルキー３ＢＢが独立して配置されている。当該カーソルキー３ＢＢの右下段には、所定機能が割り当てられた戻りキー３ＢＣが配置されている。
【００３１】
このリモートコマンダ３は、図１に示すように、ＣＰＵ２０と、操作部３Ｂと、フラッシュメモリ２１と、プログラム用のＲＯＭ（Read Only Memory）２２と、送信回路２３とがバス２４を介して接続された構成からなり、例えばボタン電池等でなるバッテリ（図示せず）が駆動源として内蔵されている。
【００３２】
ＣＰＵ２０は、ユーザによる操作部３Ｂの入力操作に応じて、フラッシュメモリ２１内に格納されている各種プログラムの中から対応するプログラムを読み出してこれをプログラム用ＲＯＭ２２に展開し、このプログラムに従って各種制御処理を実行する。また送信回路２３は、ＣＰＵ２０から送られるデータを赤外線通信ポート３Ｃ（図２）を介して発信する。
【００３３】
また図１において、このテレビジョン受像機２においては、通信回路５は、ネットワークに接続可能なモデム（図示せず）を有し、当該モデムに接続された通信ケーブルＣＬ及び続く公衆回線網（図示せず）を介してネットワーク上に分散する各種のＷｅｂサーバと通信し得るようになされている。
【００３４】
ＣＰＵ７は、受信回路６を介して受信したリモートコマンダ３の操作内容に基づいて、ネットワークを介して指定されたＷｅｂサイトのＷｅｂページの各種データを通信回路５からけ取ると、当該各種データを映像処理回路８に送出する。映像処理回路８は、所定のＷｅｂブラウザが搭載され、ＣＰＵ７の制御の下で当該Ｗｅｂブラウザを用いて、各種データからＷｅｂページ画面を表す映像データを生成した後、当該映像データをモニタ９に送出する。
【００３５】
この結果モニタ９には、リモートコマンダ３を用いてユーザが指定したＷｅｂサイトの各種Ｗｅｂページ画面を表示させ得る。
【００３６】
さらにこのテレビジョン受像機２では、ＣＰＵ７は、受信回路６を介して受信したリモートコマンダ３の操作内容に基づいて、現在モニタ９に表示されているＷｅｂページ画面内のリンクが選択されたときに、映像処理回路８に搭載されているＷｅｂブラウザを用いて、当該リンクに対応するＵＲＬ（Uniform Resource Locator）及びＨＴＭＬ（Hypertext
Markup Language）ファイル名を指定することにより、通信回路５を介してネットワーク上に分散しているＷｅｂサーバにアクセスして所望のＷｅｂページを取得してモニタ９に表示させ得るようになされている。
【００３７】
（２）モード切換処理
実際にテレビジョン受像システム１では、テレビジョン受像機２側でネットワーク上の指定されたＷｅｂサイトにアクセスされ、指定されたＷｅｂページ画面がモニタ９上に表示されると、ＣＰＵ７は、リモートコマンダ３に対する動作モードをスクロールモードに設定する。
【００３８】
ここでモニタ９上の画面範囲にＷｅｂページ画面が全て入りきらずに一部のみ表示されている場合には、図３（Ａ）に示すように、まずモニタ９の表示領域ＳＡがＷｅｂページ画面Ｆ１の左上端部に位置決めされる。
【００３９】
このスクロールモードでは、リモートコマンダ３の操作部３Ｂのカーソルキー３ＢＢ（図２）をユーザが指定する方向に押圧操作すると、ＣＰＵ７は、Ｗｅｂブラウザを用いてＷｅｂページ画面Ｆ１をモニタ９の表示領域ＳＡ内において当該指定された方向へ移動させる。
【００４０】
この場合リモートコマンダ３では、操作部３Ｂのカーソルキー３ＢＢは、スクロールモード時には、各方向に１回押圧されるごとのスクロール幅が予め設定されると共に、当該各方向の押圧時間に応じたスクロール速度も予め設定されている。
【００４１】
従って、Ｗｅｂページ画面Ｆ１は、当該Ｗｅｂページ画面Ｆ１上にＧＵＩ設定された各リンクの存在に関係なく、カーソルキー３ＢＢの押圧操作の回数及び時間に応じて、モニタ９の表示領域ＳＡ内のスクロール距離が決定される。
【００４２】
やがてユーザが所望するＷｅｂページ画面の一部をモニタ９の表示領域内に表示させたとして（図３（Ｂ））、操作部３Ｂの決定キー３ＢＡを押圧操作すると、テレビジョン受像機２のＣＰＵ７は、リモートコマンダ３に対する動作モードをスクロールモードからリンク選択モードに切り換える。
【００４３】
このリンク選択モードでは、モニタ９の表示領域ＳＡ内に表示されているＷｅｂページ画面Ｆ１の一部が固定した状態にあり、リモートコマンダ３の操作部３Ｂのカーソルキー３ＢＢがユーザが指定する方向に押圧操作されても、当該Ｗｅｂページ画面Ｆ１が全くスクロールすることなく、モニタ９の表示領域ＳＡ内に現在表示されているＷｅｂページ画面Ｆ１上にＧＵＩ設定されている所定数のリンクのうち当該指定された方向に位置するリンクＬＫ１、ＬＫ２をその押圧回数及び押圧時間に応じて順次選択していく（図４（Ａ））。
【００４４】
その際、ユーザが所望するリンクがモニタ９の表示領域ＳＡ内に表示されておらず、Ｗｅｂページ画面Ｆ１内の別の場所を再度見直す場合には、操作部３Ｂの戻りキー３ＢＣを押圧操作すると、テレビジョン受像機２のＣＰＵ７は、リモートコマンダ３に対する動作モードをリンク選択モードからスクロールモードに切り換える。
【００４５】
やがてモニタ９の表示領域ＳＡ内に表示されているＷｅｂページ画面Ｆ１上で現在所望のリンクＬＫ１が指定された状態において（図４（Ｂ））、ユーザが操作部３Ｂの決定キー３ＢＡを押圧操作すると、テレビジョン受像機２のＣＰＵ７は、Ｗｅｂブラウザを用いて、当該リンクに対応するＵＲＬ及びＨＴＭＬファイル名を指定することにより、ネットワーク上の対応するＷｅｂサーバにアクセスして該当するＷｅｂページを取得してモニタ９の表示領域ＳＡに当該Ｗｅｂページ画面を表示させる。
【００４６】
このようにテレビジョン受像機１では、モニタ９の表示領域にユーザが所望するＷｅｂページ画面の一部を表示した状態において、ユーザが指定する方向に当該Ｗｅｂページ画面を所定幅でスクロールさせながら位置固定した後、当該Ｗｅｂページ画面のうち実際にモニタ９の表示領域内に設定された所望のリンクを指定するようにして、当該リンクに対応するＷｅｂページ画面にジャンプすることができる。
【００４７】
（３）Ｗｅｂページ表示処理手順
実際にテレビジョン受像機２のＣＰＵ７は、モニタ９上にユーザが所望するＷｅｂページ画面が表示されると、上述のモード切換処理を実行するための図５に示すＷｅｂページ表示処理手順ＲＴ１をステップＳＰ０から開始し、続くステップＳＰ１において、動作モードをスクロールモードに設定した後、ステップＳＰ２に進む。
【００４８】
このステップＳＰ２において、ＣＰＵ７は、リモートコマンダ３における操作部３Ｂのカーソルキー３ＢＢが押圧操作されたか否かを判断し、肯定結果が得られると、ステップＳＰ３に進んで、モニタ９の表示領域内においてＷｅｂページ画面を指定された方向へスクロールさせた後、再度ステップＳＰ２に戻って否定結果が得られるまで繰り返す。
【００４９】
このステップＳＰ２において否定結果が得られると、ＣＰＵ７は、ステップＳＰ４に進んで、操作部３Ｂの決定キー３ＢＡが押圧操作されるのを待つ。このステップＳＰ４において肯定結果が得られると、ＣＰＵ７は、ステップＳＰ５に進んで、動作モードをスクロールモードからリンク選択モードに切り換える。
【００５０】
続いてＣＰＵ７は、ステップＳＰ６に進んで、操作部３Ｂのカーソルキー３ＢＢが押圧操作されたか否かを判断し、肯定結果が得られると、ステップＳＰ７に進んで、モニタ９の表示領域内においてＷｅｂページ画面上に表示されているリンクを指定された方向へ順次選択した後、再度ステップＳＰ６に戻って否定結果が得られるまで繰り返す。
【００５１】
このステップＳＰ６において否定結果が得られると、ＣＰＵ７は、ステップＳＰ８に進んで、操作部３Ｂの決定キー３ＢＡが押圧操作されるのを待つ。このステップＳＰ８において肯定結果が得られると、ＣＰＵ７は、ステップＳＰ９に進んで、決定されたリンクに対応するＷｅｂページ画面をモニタ９の表示領域に表示させた後、再度ステップＳＰ１に戻って動作モードをスクロールモードに切り換える。
【００５２】
これに対してステップＳＰ８において否定結果が得られると、ＣＰＵ７は、ステップＳＰ１０に進んで操作部３Ｂの戻りキー３ＢＣが押圧操作されたか否かを判断し、肯定結果が得られた場合のみ再度ステップＳＰ１に戻って動作モードをスクロールモードに切り換える。
【００５３】
このようにテレビジョン受像機２のＣＰＵ７は、リモートコマンダ３の操作内容に応じて、当該リモートコマンダ３に対する動作モードをスクロールモード又はリンク選択モードに交互に切り換えることにより、リモートコマンダ３を操作するユーザは同一の操作部３Ｂを用いて、スクロールモード又はリンク選択モードに応じた操作を行うことができる。
【００５４】
（４）本実施の形態による動作及び効果
以上の構成において、テレビジョン受像システム１では、テレビジョン受像機２のモニタ９上に指定されたＷｅｂページ画面が表示された状態にあるとき、当該テレビジョン受像機２はリモートコマンダ３に対する動作モードをスクロールモードに設定する。
【００５５】
この状態でリモートコマンダ３の操作部３Ｂのカーソルキー３ＢＢが押圧操作されると、モニタ９上の表示領域ＳＡにＷｅｂページ画面Ｆ１が全て入りきらずに一部のみ表示されている場合（図６（Ａ））には、モニタ９の表示領域ＳＡ内をＷｅｂページ画面Ｆ１が指定された方向に所定幅でスクロールする。
【００５６】
このときユーザはモニタ９の表示領域ＳＡ内を指定した方向へ所望のスクロール幅及びスクロール速度でＷｅｂページ画面Ｆ１をスクロールさせ得ることから、従来のようなリンクに引きずられてリンク単位でスクロールする場合と比較して、格段とＷｅｂページ画面Ｆ１内を自由自在に目視確認し易くなる。
【００５７】
そしてユーザがモニタ９の表示領域ＳＡ内でＷｅｂページ画面Ｆ１の所望部分を決定したとして、リモートコマンダ３の操作部３Ｂの決定キー３ＢＡが押圧操作されると、テレビジョン受像機２は、当該Ｗｅｂページ画面Ｆ１の所望部分をモニタ９の表示領域ＳＡ内に固定すると共に、リモートコマンダ３に対する動作モードをリンク選択モードに切り換える。
【００５８】
この状態でリモートコマンダ３の操作部３Ｂのカーソルキー３ＢＢが押圧操作されると、モニタ９の表示領域ＳＡ内に表示されているＷｅｂページ画面Ｆ１上の所定数のリンクＬＫのうち当該指定された方向に位置するリンクＬＫを順次選択していく（図６（Ｂ））。
【００５９】
このときユーザはモニタ９の表示領域ＳＡ内を指定した方向に位置するリンクＬＫを順次リンク単位で選択していくことから、例えばパーソナルコンピュータのようにマウスを用いてＷｅｂページ画面上の各リンクを個別に指定していく場合と比較して、格段と容易な操作で所望のリンクＬＫを指定することができる。
【００６０】
さらにその際、ユーザが所望するリンクＬＫがモニタ９の表示領域ＳＡ内に表示されておらず、Ｗｅｂページ画面Ｆ１内の別の場所を再度見直す場合には、リモートコマンダ３の操作部３Ｂの戻りキー３ＢＣを押圧操作するだけで、当該リモートコマンダ３に対する動作モードを元のスクロールモードに切り換えることにより、ユーザにとって操作面での煩雑さを与えなくて済む。
【００６１】
やがてモニタ９の表示領域ＳＡ内に表示されているＷｅｂページ画面Ｆ１上で所望のリンクＬＫを指定すべく、リモートコマンダ３の操作部３Ｂの決定キー３ＢＡが押圧操作されると、当該リンクＬＫに対応するＷｅｂページをネットワークを介して取得することにより、モニタ９の表示領域ＳＡに当該Ｗｅｂページ画面（図示せず）を表示させる。
【００６２】
このようにテレビジョン受像機２は、リモートコマンダ３に対する動作モードをユーザの操作内容に応じてスクロールモード又はリンク選択モードに交互に切り換えることにより、表示画面上でリンクに引きずられてリンク単位で画像がスクロールすることないため、ユーザは簡易な操作でモニタ９上のＷｅｂページ画面全体を容易に把握することができる。
【００６３】
またこのテレビジョン受像システム１では、リモートコマンダ３の操作部３Ｂの操作内容をテレビジョン受像機２内のＣＰＵ７が動作モードに応じて判断することにより、ユーザは当該動作モードごとにリモートコマンダ３の操作部３Ｂの設定を切り換える必要がなくて済み、この結果、ユーザによる操作内容の簡易化を実現させることができる。
【００６４】
以上の構成によれば、このテレビジョン受像システム１において、テレビジョン受像機２のモニタ９の表示領域にユーザが所望するＷｅｂページ画面の一部を表示させておき、リモートコマンダ３に対する動作モードをユーザの操作に応じてスクロールモード又はリンク選択モードに交互に切り換えるようにして、当該Ｗｅｂページ画面のスクロールによる位置決めからリンクの選択までを簡易な操作内容で行うことにより、当該Ｗｅｂページ画面全体を容易に把握しながら所望のリンクを容易に選択するができ、かくしてユーザの使い勝手を格段と向上し得るテレビジョン受像システム１を実現できる。
【００６５】
（５）他の実施の形態
なお上述のように本実施の形態においては、本発明を図１のような、少なくとも１以上のリンクが設定されているＷｅｂページ画面（コンテンツ情報に基づく画像）をモニタ９の表示領域（表示画面）に表示するテレビジョン受像機（画像表示装置）３と、当該テレビジョン受像機（画像表示装置）３の表示領域（表示画面）の表示内容を操作するリモートコマンダ（操作装置）３とからなるテレビジョン受像システム１に適用するようにした場合について述べたが、本発明はこれに限らず、この他種々の形態の画像表示装置及びその画像表示装置を含む画像表示システムに広く適用することができる。
【００６６】
例えば画像表示装置として携帯電話を適用し、当該携帯電話の表示画面にパーソナルコンピュータ用のコンテンツ情報をＷｅｂページ画面として閲覧可能とする場合には、かかる表示画面が非常に小さいことから、Ｗｅｂページ画面全体を容易に把握しながら所望のリンクを容易に選択するができるといつた本発明は非常に有効である。
【００６７】
また本実施の形態の場合、テレビジョン受像機３には、テレビジョン信号受信部４のみならず、通信回路５及び受信回路６等を内蔵させるようにしたが、これ以外にも、一般的なテレビジョン受像機に図１に示す通信回路５、受信回路６及び映像処理回路８を有するセットトップボックスを外部接続するようにしても同様の効果を得ることができる。
【００６８】
また上述のように本実施の形態においては、画像表示装置としてのテレビジョン受像機２は、モニタ９の表示領域（表示画面）に表示されているＷｅｂページ画面（コンテンツ情報に基づく画像）の表示状態を制御する制御手段と、リモートコマンダ（操作装置）３の操作に応じて、当該制御手段の動作モードをスクロールモード（第１のモード）又はリンク選択モード（第２のモード）に切り換えるモード切換手段とを、テレビジョン受像機３のＣＰＵ７から構成するようにした場合について述べたが、本発明はこれに限らず、モニタ９の表示領域（表示画面）にＷｅｂページ画面（コンテンツ情報に基づく画像）の一部が表示された状態において、リモートコマンダ（操作装置）３の操作に応じて、スクロールモード（第１のモード）では、当該表示領域上でＷｅｂページ画面をスクロールする一方、リンク選択モード（第２のモード）では、当該表示領域に固定されたＷｅｂページ画面内の各リンクを順次選択することができれば、この他種々の構成のものを適用するようにしても良い。
【００６９】
さらに上述のように本実施の形態においては、テレビジョン受像機２を遠隔操作するための操作装置として、図１及び図２に示すリモートコマンダ３を適用するようにした場合について述べたが、本発明はこれに限らず、この他種々の形態の操作装置に広く適用することができる。この場合において、操作装置は、一般的なテレビジョン受像機に専用のチャンネルリモコンの一部として機能設定することにより、当該チャンネルリモコンと兼用させるようにしても良い。
【００７０】
さらに操作装置としてのリモートコマンダ３は、テレビジョン受像機２と赤外線通信により各種データを送受信するようにした場合について述べたが、本発明はこれに限らず、ブルートゥース（Bluetooth）等の無線ＬＡＮ等の無線通信により送受信するようにしても良く、ＩＥＥＥ１３９４規格に準拠した通信ケーブル等の有線通信により送受信するようにしても良い。
【００７１】
さらに上述の実施の形態においては、操作装置としてのリモートコマンダ３は、方向指定用のカーソルキー（第１の操作手段）と、確定用の決定キー（第２の操作手段）とを有し、制御手段としてのＣＰＵ７は、スクロールモード（第１のモード）では、カーソルキー（第１の操作手段）により指定された方向へ画像をスクロールさせながら、第２の操作手段により決定された当該画像を表示画面に固定する一方、リンク選択モード（第２のモード）では、カーソルキー（第１の操作手段）により指定された方向へ表示画面に固定されている画像内の各リンクを順次選択させながら、決定キー（第２の操作手段）により指定されたリンクに対応するＷｅｂページ画面（コンテンツ情報に基づく画）を表示させるようにしたが、当該Ｗｅｂページ画面のスクロールによる位置決めからリンクの選択までを簡易な操作内容で行うことができれば、第１及び第２の操作手段の構成及びこれらの操作内容に応じた制御手段の動作は、種々の構成や動作に設定するようにしても良い。
【００７２】
さらにモード切換手段としてのＣＰＵ７は、スクロールモード（第１のモード）における決定キー（第２の操作手段）の操作に応じて、リモートコマンダ３に対する動作モードをスクロールモード（第１のモード）からリンク選択モード（第２のモード）に切り換えるようにしたが、リモートコマンダ３の操作部３Ｂにモード変換用のキーを新たに設けるようにしても良い。
【産業上の利用可能性】
【００７３】
画像表示システム、画像表示装置及び画像表示方法において、インターネットを利用可能なテレビジョン受像機や、携帯電話機などに適用することができる。
【図面の簡単な説明】
【００７４】
【図１】本実施の形態によるテレビジョン受像システムの構成を示すブロック図である。
【図２】図１に示すリモートコマンダの外観構成を示す略線的な斜視図である。
【図３】モード切換処理の説明に供するモニタの表示状態を表す略線的な平面図である。
【図４】モード切換処理の説明に供するモニタの表示状態を表す略線的な平面図である。
【図５】Ｗｅｂページ表示処理手順の説明に供するフローチャートである。
【図６】リモートコマンダに対する動作モードに応じたモニタの表示状態を表す略線的な平面図である。
【符号の説明】
【００７５】
１……テレビジョン受像システム、２……テレビジョン受像機、３……リモートコマンダ、３Ｂ……操作部、３ＢＡ……決定キー、３ＢＢ……カーソルキー、３ＢＣ……戻りキー、４……テレビジョン信号受信部、５……通信回路、６……受信回路、７、２０……ＣＰＵ、８……映像処理回路、９……モニタ、ＲＴ１……Ｗｅｂページ表示処理手順。
【図１】
2005027245.tif 000003
【図２】
2005027245.tif 000004
【図３】
2005027245.tif 000005
【図４】
2005027245.tif 000006
【図５】
2005027245.tif 000007
【図６】
2005027245.tif 000008